(57)【特許請求の範囲】
【請求項１】
通信中の基地局との間において、複数ブランチでのダイバーシチ受信を行い、各ブランチ毎に相関演算を行って相関出力を得、各相関出力を合成する移動局装置におけるＣＤＭＡ通信での同期方法において、
ハンドオーバ先の基地局からの信号と前記通信中であるハンドオーバ元の基地局からの信号とを含む高周波信号を受信し、前記高周波信号を周波数変換して得られた受信ベースバンド信号を一時的にメモリに記憶し、前記ブランチのいずれかを用いて、前記ハンドオーバ元の基地局からの信号をダイバーシチ受信している際で、前記ハンドオーバ元の基地局の同期確立用の信号を受信していない期間に、前記記憶した信号と前記ハンドオーバ先の基地局の拡散符号との相関演算を行って、前記ハンドオーバ先の基地局との同期を確立することを特徴とする同期方法。
【請求項２】
通信中の基地局との間において、複数のブランチでダイバーシチ受信を行う無線手段と、前記無線手段で受信された信号と前記通信中の基地局の拡散符号との相関を演算して相関出力を得る相関取得手段と、を前記ブランチ毎に備え、前記各相関取得手段からの相関出力を合成する合成手段を備える移動局装置の同期回路において、
前記ブランチのいずれかの無線手段を用いて受信したハンドオーバ先の基地局からの信号と前記通信中であるハンドオーバ元の基地局からの信号とを含む高周波信号を周波数変換して得られたベースバンド信号を一時的に記憶するメモリと、
前記メモリにおける信号の入出力を制御すると共に、前記無線手段が前記ハンドオーバ元の基地局からの信号をダイバーシチ受信していて、前記ブランチのいずれかの相関取得手段が前記ハンドオーバ元の基地局からのパイロット信号を用いた相関演算を行わない期間に、前記メモリに記憶された信号を読み出して、当該相関取得手段に前記信号と前記ハンドオーバ元の基地局から報知されたハンドオーバ先の相関符号との相関演算を行わせて、前記ハンドオーバ先の基地局との同期取得を行う制御手段とを設けたことを特徴とする同期回路。
【請求項３】
移動局装置の受信機に用いられる同期回路において、到来する信号を受信する第１のブランチのアンテナ及び第２のブランチのアンテナと、
受信した高周波の信号をベースバンド信号に周波数変換する前記第１のブランチの無線部及び前記第２のブランチの無線部と、
前記無線部からのアナログ信号をディジタル信号に変換する前記第１のブランチのＡ／Ｄコンバータ及び前記第２のブランチのＡ／Ｄコンバータと、
受信したベースバンド信号の逆拡散に用いる拡散符号を生成する拡散符号生成部と、
前記Ａ／Ｄコンバータからの出力と前記生成された拡散符号との相関を演算する前記第１のブランチのサーチャ及び前記第２のブランチのサーチャと、
前記サーチャの相関演算結果の絶対値をとり、複数シンボルにわたって平均化することにより遅延パスタイミングの推定を行う前記第１のブランチのプロファイル部及び前記第２のブランチのプロファイル部と、
前記Ａ／Ｄコンバータでディジタル値に変換されたベースバンド信号と前記生成された拡散符号との相関演算を前記プロファイル部で推定したパスタイミングで逆拡散して出力する前記第１のブランチのスライディングコリレータ及び前記第２のブランチのスライディングコリレータと、
前記各スライディングコリレータからの出力を最大比合成し、受信信号の復調を行うＲＡＫＥ合成部と、
前記第２のブランチのＡ／Ｄコンバータから、通信切り替え先の基地局のとまり木チャネルのデータを含むベースバンド信号を入力して記憶するメモリと、
前記通信切り替え先の基地局のとまり木チャネルのデータを含むベースバンド信号を前記第２のブランチのＡ／Ｄコンバータから入力して前記メモリに記憶させ、通信中の基地局からの信号のパイロットシンボル以外の部分で、前記第２のブランチのサーチャ、前記第２のブランチのプロファイル部、前記第２のブランチのスライディングコリレータ、前記ＲＡＫＥ合成部を動作させて、前記メモリに記憶されたベースバンド信号を読み出して、前記ベースバンド信号と前記止まり木チャネルに用いられている拡散符号との相関出力を得て前記通信切り替え先の基地局との同期確立を行わせるように制御する制御部とを有することを特徴とする同期回路。
【発明の詳細な説明】
【０００１】
【発明の属する技術分野】
本発明は、移動体通信におけるスペクトラム拡散通信システムでの移動局装置の受信機側に用いられる同期回路に係り、特に、ＤＨＯ（Diversity Hand Over ）時においても通信が瞬断することがない同期方法及び同期回路に関する。
【０００２】
【従来の技術】
通信中、移動局が１つのセルから他のセルへ移行する時、対応する基地局を切り替える必要がある。この通信中におけるセル間での切り替え操作はハンドオフ（Hand Off）若しくはハンドオーバー（Hand Over ）と呼ばれる。
【０００３】
スペクトラム拡散通信に基づいたＣＤＭＡ（Code Division Multiple Access ：符号分割多元接続）方式においては、各セルでの周波数が同じであることを基本としているので、ＦＤＭＡ（Frequency Division Multiple Access：周波数分割多元接続）方式の場合と異なり周波数の切り替えを必要としないものである。
【０００４】
ハンドオーバーの具体的動作を以下に説明する。
セル境界近傍にいる移動局は、関係する複数の基地局からの信号を受信し、それらのレベルをセルの基地局に知らせる。通知された状況に応じ、回線管理を制御する局は、移動局が移動しようとする新しいセルに対応する基地局に対しても現在通信中の基地局から送信されている信号と同じ信号を送信するよう指示する。
【０００５】
移動局は、２つの基地局から送信される同じ信号を受信することにより、ダイバーシチ受信を行い、２つの信号レベルが所定値以上になるまで、ダイバーシチ受信を継続し、その後、新しいセルの基地局との送受信に移行する。このようなハンドオフ又はハンドオーバーはソフトハンドオフ又はダイバーシチハンドオーバ（ＤＨＯ：Diversity Hand Over ）と呼ばれ、ＣＤＭＡの特徴の一つになっている。
【０００６】
従来におけるＤＨＯについて図２、図３、図４を用いて説明する。図２は、下りのとまり木チャネルの無線フレーム構成を示す説明図であり、図３は、個別物理チャネルの送信タイミングを示すタイミングチャート図であり、図４は、ＤＨＯ時の同期確立の処理を示すタイミングチャート図である。
【０００７】
移動局がＤＨＯする時には、ＤＨＯ先の無線基地局（ＢＴＳ）のとまり木チャネルを受信する。
とまり木チャネルとは、移動局のセル選択のための受信レベル測定対象物理チャネルのことであり、更に、移動局の電源立ち上げ時に、最初に捕捉する物理チャネルである。移動局での立ち上げ時のセル選択を高速化するために、システムで唯一ショートコードで拡散され、常時送信される第１とまり木チャネルと、下りロングコードと対応したショートコードで拡散され、一部のシンボル部分のみ送信される第２とまり木チャネルがある。
尚、第２とまり木チャネルで用いるショートコードは、他の物理チャネルで使用するショートコード体系とは異なっている。
【０００８】
基地局から送信されるとまり木チャネル１０１は、図２に示すように、複数の無線スロットに分割されている。とまり木チャネルには、上述した通り、第１とまり木チャネル１０２と第２とまり木チャネル１０３があり、基地局から移動局に対して同時に送信されている。
【０００９】
ＤＨＯを行う時には、現在送信中の上り個別物理チャネルとＤＨＯ先ＢＴＳのとまり木チャネル（ＤＨＯ先とまり木）のフレームの時間差を測定する必要があるため、ＤＨＯ先とまり木と同期を取らなければならない。
図４に示すように、移動局は、ＤＨＯ先ＢＴＳから受信したＤＨＯ先とまり木をロングコードで逆拡散し相関を取り、同期を確立する。この時に使用するロングコードはＤＨＯ元ＢＴＳより報知されていて、その位相はＤＨＯ先とまり木の位相と同じである。
【００１０】
ＤＨＯ先とまり木との同期が確立したら、移動局は、その止まり木と送信中（ＤＨＯ元ＢＴＳと送信中）の上り個別物理チャネルの同一のフレームナンバのフレームの時間差を測定し、これをＤＨＯ元ＢＴＳを介してＤＨＯ先ＢＴＳに通知する。
【００１１】
図３（ａ）にＤＨＯ先とまり木チャネル（ｃｈ）無線フレームを、図３（ｂ）に移動局上り個別物理ｃｈ無線フレームを、図３（ｃ）にＤＨＯ元下り個別物理ｃｈ受信無線フレームを、図３（ｄ）にＤＨＯ先ＢＴＳ下り個別物理ｃｈ送信無線フレーム及びタイミングを示す。
移動局は、図３における（ａ）（ｂ）からフレーム時間差測定値ＴDHO を取得する。また、図３（ｂ）（ｃ）から上り個別物理ｃｈと下り個別物理ｃｈとの時間差は１２８０ｃｈｉｐとなっていることから、ＤＨＯ先ＢＴＳから移動局に送信される下り個別物理ｃｈは、ＴDHO −１２８０ｃｈｉｐのタイミングで行うよう、移動局はＤＨＯ先ＢＴＳに通知する。
【００１２】
ＤＨＯ先ＢＴＳは、通知された時間差（ＴDHO −１２８０ｃｈｉｐ）を元に下り個別物理チャネルを送信する。移動局は、ＤＨＯ先ＢＴＳからの下り個別物理チャネルを受信し、チップ同期を確立する。チップ同期が確立したら、移動局は、ＤＨＯ先ＢＴＳからの下り個別物理チャネルとの最大比合成を始める。
【００１３】
以上がＤＨＯ時の従来の動作の説明である。
次に、従来例の移動局装置における同期回路を図５を用いて説明する。図５は、従来の同期回路の構成ブロック図である。尚、図５の例ではフェージングの影響を低減するために用いられるスペースダイバーシチのブランチ数が２である場合を示している。
【００１４】
従来の同期回路は、図５に示すように、ブランチ１のアンテナ１と、ブランチ２のアンテナ２と、ブランチ１の無線部３と、ブランチ２の無線部４と、ブランチ１のＡ／Ｄコンバータ５と、ブランチ２のＡ／Ｄコンバータ６と、拡散符号生成部７と、ブランチ１のサーチャ８と、ブランチ２のサーチャ９と、ブランチ１のプロファイル部１０と、ブランチ２のプロファイル部１１と、ブランチ１のスライディングコリレータ１２と、ブランチ２のスライディングコリレータ１３と、ＲＡＫＥ合成部１４とを備え、更に、ＤＨＯ時の同期確立のための同期部２０を備えている。
そして、同期部２０は、サーチャ２１と、プロファイル部２２と、スライディングコリレータ２３とから構成されている。
【００１５】
次に、従来の同期回路の各部を具体的に説明する。
ブランチ１のアンテナ１とブランチ２のアンテナ２は、到来する信号を受信するアンテナである。
ブランチ１の無線部３は、ブランチ１のアンテナ１で受信した高周波の信号をベースバンド信号に周波数変換する無線部であり、ブランチ２の無線部４は、ブランチ２のアンテナ２で受信した高周波の信号をベースバンド信号に周波数変換する無線部である。
【００１６】
ブランチ１のＡ／Ｄコンバータ（Ａ／Ｄ）５は、ブランチ１の無線部３から出力されるアナログ信号をディジタル信号に変換する変換器であり、ブランチ２のＡ／Ｄコンバータ（Ａ／Ｄ）６は、ブランチ２の無線部４から出力されるアナログ信号をディジタル信号に変換する変換器である。
【００１７】
拡散符号生成部７は、送信側である基地局から報知された拡散コード番号を外部から設定し、その番号に対応するロングコード、ショートコードを生成し、生成したロングコードとショートコードを乗算し、受信したベースバンド信号の逆拡散に用いる拡散信号を生成するものである。尚、ブランチ１、ブランチ２の各ブランチの複数の遅延パスのタイミング毎にそれぞれ独立に符号を生成することができるものである。
【００１８】
ブランチ１のマッチドフィルタ（サーチャ）８は、ブランチ１のＡ／Ｄコンバータ５の出力と、拡散符号生成部７より生成されたロングコードとショートコードを乗算した符号、またはショートコードのみの符号との相関を演算するマッチドフィルタである。
ブランチ２のマッチドフィルタ（サーチャ）９は、ブランチ２のＡ／Ｄコンバータ６の出力と、拡散符号生成部７より生成されたロングコードとショートコードを乗算した符号、またはショートコードのみの符号との相関を演算するマッチドフィルタである。
【００１９】
ブランチ１のプロファイル部（Profile ）１０は、ブランチ１のマッチドフィルタ８の相関演算結果の絶対値をとり、複数シンボルにわたって平均化することにより遅延パスタイミングの推定を行うものである。
ブランチ２のプロファイル部（Profile ）１１は、ブランチ２のマッチドフィルタ９の相関演算結果の絶対値をとり、複数シンボルにわたって平均化することにより遅延パスタイミングの推定を行うものである。
【００２０】
ブランチ１のスライディングコリレータ（ＳＣ）１２は、ブランチ１のＡ／Ｄコンバータ５でディジタル値に変換したベースバンド信号と、拡散符号生成部７で生成したロングコードとショートコードとを乗算した拡散符号との相関演算をブランチ１のプロファイル部１０で推定したパスタイミングで逆拡散し出力するものである。
ブランチ２のスライディングコリレータ（ＳＣ）１３は、ブランチ２のＡ／Ｄコンバータ６でディジタル値に変換したベースバンド信号と、拡散符号生成部７で生成したロングコードとショートコードとを乗算した拡散符号との相関演算をブランチ２のプロファイル部１１で推定したパスタイミングで逆拡散し出力するものである。
【００２１】
ＲＡＫＥ合成部１４は、ブランチ１及びブランチ２のスライディングコリレータ（ＳＣ）１２，１３の位相が異なる遅延パスの相関演算の結果を最大比合成し、受信信号を復調するものである。
【００２２】
また、ＤＨＯ時には、ＤＨＯ先ＢＴＳのとまり木チャネルを受信し、同期を確立するための同期部２０の各部を説明する。
同期部２０内のマッチドフィルタ（サーチャ）２１は、ブランチ２のＡ／Ｄコンバータ６の出力と、拡散符号生成部７で生成されたロングコードとショートコードを乗算した符号との相関を演算するものである。
【００２３】
プロファイル部（Profile ）２２は、サーチャ２１からの相関演算結果の絶対値をとり、複数シンボルにわたって平均化して遅延パスタイミングの推定を行うものである。
スライディングコリレータ（ＳＣ）２３は、ブランチ２のＡ／Ｄコンバータ６でディジタル値に変換されたベースバンド信号と拡散符号生成部７で生成した拡散符号との相関演算をプロファイル部２２で推定したパスタイミングで逆拡散して出力するものである。
【００２４】
このように、ＤＨＯ先の止まり木チャネルを受信して逆拡散し、下りロングコードの判定と無線フレーム同期を取るための同期部２０が必要となり、ＤＨＯ先の止まり木チャネル用のマッチドフィルタ（サーチャ）２１、スライディングコリレータ（ＳＣ）２３、プロファイル部２２が、２ブランチのスペースダイバーシチで使われていたマッチドフィルタ（サーチャ）８，９、スライディングコリレータ１２，１３、プロファイル部１０，１１とは別に用意されていた。
【００２５】
以下、従来例におけるＤＨＯ時の動作について説明する。
ＤＨＯ時に移動局は、ＤＨＯ元ＢＴＳとの通信している上り個別物理チャネルの無線フレームとＤＨＯ先ＢＴＳから送信されているとまり木チャネルの無線フレームの時間差を測定し、この測定値をＤＨＯ元ＢＴＳを介してＤＨＯ先ＢＴＳに通知する。
【００２６】
この時間差を測定するためにはＤＨＯ先とまり木チャネルとの同期を取らなくてはならない。受信したＤＨＯ先とまり木は、無線部４、Ａ／Ｄコンバータ６によってベースバンド信号に変換され、ロングコードとの相関を演算する。この時に使用されるロングコードはＤＨＯ元ＢＴＳよりそのロングコード番号が報知されていて位相はＤＨＯ先ＢＴＳのとまり木と同じになっている。
【００２７】
上記のロングコードを拡散符号生成部７より発生させ、ベースバンド信号に変換されたとまり木とマッチドフィルタ（サーチャ）２１で相関をとる。とまり木との同期が確立したらこのＤＨＯ先とまり木のフレームと現在送信中の上り個別物理チャネルのフレームとの時間差を測定し、ＤＨＯ元ＢＴＳを介してＤＨＯ先ＢＴＳに通知する。
【００２８】
ＤＨＯ先ＢＴＳはこの情報を元に下り個別物理チャネルを送信し、移動局はＤＨＯ先ＢＴＳからの下り個別物理チャネルを受信し、下りのチップ同期を開始する。チップ同期が確立したなら、マッチドフィルタ（サーチャ）２１を動作させ、プロファイル部２２で複数の遅延パスタイミングを検出して、同期を保持しながらスライディングコリレータ２３で受信信号の復調、ＲＡＫＥ合成部１４で最大比合成を行う。
【００２９】
以上が従来例におけるＤＨＯ時の移動局の動作である。
よって、ハードの構成としては、ＤＨＯ元ＢＴＳ用の同期回路部分とは別にＤＨＯ先ＢＴＳ用の同期回路部分を専用で設けていたものである。
【００３０】
尚、ＤＨＯ時の従来技術としては、平成１０年１０月９日公開の特開平１０−２７１５４９号「移動無線基地局装置」（出願人：国際電気株式会社、発明者：安部俊二）がある。
この従来技術は、移動無線基地局装置に関するものであり、信号合成によるソフトハンドオーバを簡易な構成で実現し、ハンドオーバ時の受信特性の改善を図ったものである。
【００３１】
【発明が解決しようとする課題】
しかしながら、上記従来の同期回路では、ＤＨＯ元ＢＴＳ用の同期回路部分とは別にＤＨＯ時にしか動作しないＤＨＯ先ＢＴＳ用の同期回路部分を専用で設けているため、ハードの規模が増大し、さらに消費電力も増加するという問題点があった。
【００３２】
本発明は上記実情に鑑みて為されたもので、回路規模の増大を抑えることができる同期方法及び同期回路を提供することを目的とする。
【００３３】
【課題を解決するための手段】
上記従来例の問題点を解決するための本発明は、ダイバーシチ受信を行うために、複数のブランチ毎に、受信を行う無線手段と、無線手段で受信された信号の相関を得る相関取得手段とを備え、各相関取得手段からの相関出力を合成する合成手段を備える移動局装置の同期回路において、ハンドオーバ先の基地局からの信号と通信中であるハンドオーバ元の基地局からの信号とを含む高周波信号を受信し、高周波信号を周波数変換して得られた受信ベースバンド信号の信号をメモリに一時的に記憶し、ハンドオーバ元の基地局からの信号をダイバーシチ受信している際で、ハンドオーバ元の基地局の同期確立用の信号を受信していない期間に、複数ブランチの内、いずれかのブランチの無線手段、相関取得手段、更に合成手段を制御手段が動作させて、記憶した信号とハンドオーバ先の基地局の拡散符号との相関演算を行ってハンドオーバ先の基地局との同期確立を行わせるものであり、回路規模の増大を抑え、消費電力の増加を抑えることができるものである。
【００３４】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００３５】
本発明の実施の形態に係る移動局装置における同期回路は、ＤＨＯ時の同期捕捉を行っているサーチャが、パイロットシンボルの部分で動作しており、それ以外のシンボルでは動作していないことに着目し、ダイバーシチを行っている一つのブランチに受信信号を部分的に保持する記憶手段を備え、その記憶手段にＤＨＯ先とまり木チャネルのデータを保持し、パイロットシンボル以外の部分で記憶手段に保持したＤＨＯ先とまり木チャネルの受信信号についてサーチャを動作させることによって、ＤＨＯ元ＢＴＳとのデータチャネルの２ブランチダイバーシチを継続させたままＤＨＯ先ＢＴＳとの同期を取る同期回路である。
【００３６】
ＤＨＯ開始時にはＤＨＯ元ＢＴＳに対し、ＤＨＯ先のとまり木とＤＨＯ元ＢＴＳに送信している移動局の上り個別物理チャネルとの時間差を報告する必要がある。
この報告された時間差を基に、ＤＨＯ先のＢＴＳが無線フレームタイミングを調節しＤＨＯ元の無線フレームタイミング（正確にはＭＳ［無線移動局装置］の受信無線フレームタイミング）に合わせる。ロングコード位相はとまり木チャネルのタイミングのまま変わらないものである。
【００３７】
また、ＤＨＯ元ＢＴＳからＤＨＯ先で使用するロングコード番号は通知されるのでコードの判定は行わない。
各ＢＴＳから送信しているとまり木チャネルは基地局間非同期であるため、ＤＨＯ元、ＤＨＯ先が重なる可能性があるので、このためサーチャ（マッチドフィルタ）をＤＨＯ対象となるＢＴＳ分備えていたのが従来例であり、本発明の実施の形態に係る同期回路では記憶手段に一時データを保持してサーチャ（マッチドフィルタ）を時分割で使用することでＤＨＯ先ＢＴＳとの同期を実現し、上記時間差を計測するものである。
【００３８】
基地局間が同期していれば、とまり木チャネルのパイロットシンボル部分はある位相を保持することが可能となるので、同一のサーチャでその位相毎にロングコードを変え、ＤＨＯ元／先共に同期を確立することは可能となるのでメモリ等の記憶手段は不要となる。従って、とまり木が重なっていなければ、基地局間非同期でもメモリは必要ないが、いつもとまり木が重ならない訳ではではないので、本発明ではメモリ等の記憶手段を備えるようにしている。
【００３９】
本発明の実施の形態に係る移動局装置における同期回路は、ダイバーシチ受信を行うために、複数のブランチ毎に、受信を行う無線手段と、無線手段で受信された信号の相関を得る相関取得手段とを備え、各相関取得手段からの相関出力を合成する合成手段と、通信切り替え先の基地局の信号を記憶する記憶手段と、当該記憶手段への信号の入出力を制御すると共に、複数ブランチの内、いずれかのブランチの無線手段、相関取得手段が通常動作しない期間に、当該無線手段、当該相関取得手段、更に合成手段を動作させて通信切り替え先の基地局との同期確立を行わせる制御手段とを有するものである。
【００４０】
次に、本発明の実施の形態に係る同期回路について図１を用いて説明する。図１は、本発明の実施の形態に係る同期回路の構成ブロック図である。尚、図５と同様の構成をとる部分については同一の符号を付して説明している。
本発明の実施の形態に係る同期回路は、図１に示すように、ブランチ１のアンテナ１と、ブランチ２のアンテナ２と、ブランチ１の無線部３と、ブランチ２の無線部４と、ブランチ１のＡ／Ｄコンバータ５と、ブランチ２のＡ／Ｄコンバータ６と、拡散符号生成部７と、ブランチ１のサーチャ８と、ブランチ２のサーチャ９と、ブランチ１のプロファイル部１０と、ブランチ２のプロファイル部１１と、ブランチ１のスライディングコリレータ１２と、ブランチ２のスライディングコリレータ１３と、ＲＡＫＥ合成部１４とを備え、更に、ＤＨＯ時の同期確立に用いられる記憶手段としてのメモリ１５と、そのメモリ１５等を制御する制御手段としての制御部１６とを備えている。
【００４１】
尚、図１の例では、上記機能実現手段を具体的な構成で示した一例に過ぎず、アンテナ１，２と無線部３，４とＡ／Ｄコンバータ５，６とが上記無線手段に相当し、拡散符号生成部７とサーチャ８，９とプロファイル部１０，１１とスライディングコリレータ１２，１３とが上記相関取得手段に相当し、ＲＡＫＥ合成部１４が上記合成手段に相当し、メモリ１５が上記記憶手段に相当し、制御部１６が上記制御手段に相当している。
また、メモリ１５と制御部１６とを１つの回路にて構成することも可能である。
【００４２】
次に、本発明の実施の形態に係る同期回路の各部を具体的に説明する。
ブランチ１のアンテナ１とブランチ２のアンテナ２は、到来する信号を受信するアンテナである。
ブランチ１の無線部３は、ブランチ１のアンテナ１で受信した高周波の信号をベースバンド信号に周波数変換する無線部であり、ブランチ２の無線部４は、ブランチ２のアンテナ２で受信した高周波の信号をベースバンド信号に周波数変換する無線部である。
【００４３】
ブランチ１のＡ／Ｄコンバータ（Ａ／Ｄ）５は、ブランチ１の無線部３から出力されるアナログ信号をディジタル信号に変換する変換器であり、ブランチ２のＡ／Ｄコンバータ（Ａ／Ｄ）６は、ブランチ２の無線部４から出力されるアナログ信号をディジタル信号に変換する変換器である。
【００４４】
拡散符号生成部７は、送信側である基地局から報知された拡散コード番号を外部から設定し、その番号に対応するロングコード、ショートコードを生成し、生成したロングコードとショートコードを乗算し、受信したベースバンド信号の逆拡散に用いる拡散信号（拡散符号）を生成するものである。尚、ブランチ１、ブランチ２の各ブランチの複数の遅延パスのタイミング毎にそれぞれ独立に符号を生成することができるものである。
【００４５】
ブランチ１のマッチドフィルタ（サーチャ）８は、ブランチ１のＡ／Ｄコンバータ５の出力と、拡散符号生成部７より生成されたロングコードとショートコードを乗算した符号、またはショートコードのみの符号との相関を演算するマッチドフィルタである。
ブランチ２のマッチドフィルタ（サーチャ）９は、ブランチ２のＡ／Ｄコンバータ６の出力と、拡散符号生成部７より生成されたロングコードとショートコードを乗算した符号、またはショートコードのみの符号との相関を演算するマッチドフィルタである。
【００４６】
ブランチ１のプロファイル部（Profile ）１０は、ブランチ１のマッチドフィルタ８の相関演算結果の絶対値をとり、複数シンボルにわたって平均化することにより遅延パスタイミングの推定を行うものである。
ブランチ２のプロファイル部（Profile ）１１は、ブランチ２のマッチドフィルタ９の相関演算結果の絶対値をとり、複数シンボルにわたって平均化することにより遅延パスタイミングの推定を行うものである。
【００４７】
ブランチ１のスライディングコリレータ（ＳＣ）１２は、ブランチ１のＡ／Ｄコンバータ５でディジタル値に変換したベースバンド信号と、拡散符号生成部７で生成したロングコードとショートコードとを乗算した拡散符号との相関演算をブランチ１のプロファイル部１０で推定したパスタイミングで逆拡散し出力するものである。
ブランチ２のスライディングコリレータ（ＳＣ）１３は、ブランチ２のＡ／Ｄコンバータ６でディジタル値に変換したベースバンド信号と、拡散符号生成部７で生成したロングコードとショートコードとを乗算した拡散符号との相関演算をブランチ２のプロファイル部１１で推定したパスタイミングで逆拡散し出力するものである。
【００４８】
ＲＡＫＥ合成部１４は、ブランチ１及びブランチ２のスライディングコリレータ（ＳＣ）１２，１３の位相が異なる遅延パスの相関演算の結果を最大比合成し、受信信号を復調するものである。
【００４９】
また、記憶手段としてのメモリ１５は、ＤＨＯ時にＤＨＯ先ＢＴＳのとまり木チャネルのデータを保持するためのメモリである。ＤＨＯ先ＢＴＳのとまり木チャネルに相当するデータを制御部１６の制御タイミングによりＡ／Ｄコンバータ６から入力し、保持する。また、制御部１６の制御タイミングにより保持したデータをサーチャ９、スライディングコリレータ（ＳＣ）１３に出力する。
【００５０】
制御手段としての制御部１６は、メモリ１５におけるデータの入出力を制御し、ＤＨＯ時に、サーチャ９、プロファイル部１１、スライディングコリレータ（ＳＣ）１３の動作タイミングを制御するものである。
具体的には、ＤＨＯ先ＢＴＳのとまり木チャネルに相当するデータをＡ／Ｄコンバータ６から入力して記憶させ、ＤＨＯ元の信号のパイロットシンボル部分以外の部分（本来であれば、サーチャ９が動作しない期間）で、サーチャ９、プロファイル部１１、スライディングコリレータ１３を動作させて、相関出力が得られるように制御するものである。
【００５１】
本発明の実施の形態に係る同期回路でのＤＨＯ時の動作を説明する。
ＤＨＯする時には、移動局装置は、ＤＨＯ元のＢＴＳに対して、ＤＨＯ先ＢＴＳのとまり木チャネルとＤＨＯ元ＢＴＳに送信している移動局の上り個別物理チャネルの無線フレームの時間差を報告する必要がある。そのためＤＨＯ先ＢＴＳのとまり木チャネルと同期をとる必要がある。
【００５２】
また、ＤＨＯ先の信号に対して使用するロングコードは、ＤＨＯ元ＢＴＳから既に報知されるのでロングコードの判定をする必要はなく、その位相はＤＨＯ先とまり木の位相と同じである。
【００５３】
メモリ１５には、ブランチ２の無線部４、Ａ／Ｄコンバータ６でベースバンド信号に変換された信号が保持されている。保持するデータは、１シンボル分では演算処理等のハードの制約から厳しいと考えられるので、数シンボルを単位としてメモリ１５に保持されるようにしている。
先に保持したデータの演算処理がスライディングコリレータ１３、サーチャ９、プロファイル部１１で行われ、処理が終了したならば、そのデータを捨てて、データをシフトし、空いたところに次のデータを書き込むようにしている。
【００５４】
サーチャ９は、マッチドフィルタであり、ＤＨＯ元の信号のパイロットシンボル部分で動作しているので、動作していないパイロットシンボル以外の部分で、メモリ１５に保持したデータを、制御部１６の制御タイミングにより取り込み、ＤＨＯ元ＢＴＳから報知されたロングコード番号から拡散符号生成部７で生成したロングコードとの相関演算を行い、パスを検出して同期を保持し、複数ある遅延パスの中から有効パスの検出をプロファイル部１１で行う。
そして、プロファイル部１１で検出した有効パスに基づいて、移動局は、ＤＨＯ先ＢＴＳとの同期を確立する。
【００５５】
次に、移動局装置は、ＤＨＯ元ＢＴＳに対して、ＤＨＯ先ＢＴＳのとまり木チャネルとＤＨＯ元ＢＴＳに送信している移動局の上り個別物理チャネルの無線フレームの時間差を報告し、この情報は更にＤＨＯ先ＢＴＳに通知され、この通知された時間差を元にＤＨＯ先のＢＴＳが下り個別物理チャネルの無線フレームのタイミングをＤＨＯ元の無線フレームタイミング（正確には移動局の無線フレームタイミング）に調節して送信する。
【００５６】
移動局は、ＤＨＯ先とまり木チャネルの受信タイミングを基にＤＨＯ先の下り個別物理チャネルを受信し、チップ同期の処理を開始する。チップ同期確立後は、スライディングコリレータ１３で受信信号の復調を行い、ＲＡＫＥ合成部１４で最大比合成を行い、フレーム同期を確立する。
以上のようにして、移動局装置は、ＤＨＯ元との２ブランチダイバーシチは継続したまま、ＤＨＯ先基地局との初期同期をとることが可能となる。
【００５７】
本発明の実施の形態の移動局装置における同期回路によれば、ＤＨＯ時に受信信号を部分的に保持するメモリ１５と、メモリ１５等の制御を行う制御部１６とを備え、間欠動作をするマッチドフィルタ（サーチャ）９の動作しない期間で、サーチャ９、プロファイル部１１、スライディングコリレータ１３等を動作させてＤＨＯ先の同期を行うようにしているので、ＤＨＯ先の基地局の同期をとるために、専用のマッチドフィルタ、スライディングコリレータ、プロファイル部等のハードを追加する必要がなく、更にＤＨＯ元との２ブランチダイバーシチは継続したままであるので、ＤＨＯ元との通信が瞬断することなく同期をとることができる効果がある。
【００５８】
従って、本発明の実施の形態に係る移動局装置の同期回路によれば、従来の専用のマッチドフィルタ等の電力を消費するデバイスの替わりに、メモリ１５等のデバイスを追加しているに留まっているため、消費電力を抑えることができ、バッテリー駆動の携帯装置に用いるのに適しているものである。
【００５９】
【発明の効果】
本発明によれば、ダイバーシチ受信を行うために、複数のブランチ毎に、受信を行う無線手段と、無線手段で受信された信号の相関を得る相関取得手段とを備え、各相関取得手段からの相関出力を合成する合成手段を備える移動局装置の同期回路において、ハンドオーバ先の基地局からの信号と通信中であるハンドオーバ元の基地局からの信号とを含む高周波信号を受信し、高周波信号を周波数変換して得られた受信ベースバンド信号の信号をメモリに一時的に記憶し、ハンドオーバ元の基地局からの信号をダイバーシチ受信している際で、ハンドオーバ元の基地局の同期確立用の信号を受信していない期間に、複数ブランチの内、いずれかのブランチの無線手段、相関取得手段、更に合成手段を制御手段が動作させて記憶した信号とハンドオーバ先の基地局の拡散符号との相関演算を行ってハンドオーバ先の基地局との同期確立を行わせるものであり、回路規模の増大を抑え、消費電力の増加を抑えることができる効果がある。
【図面の簡単な説明】
【図１】本発明の実施の形態に係る同期回路の構成ブロック図である。
【図２】下りのとまり木チャネルの無線フレーム構成を示す説明図である。
【図３】個別物理チャネル送信タイミングを示すタイミングチャート図である。
【図４】ＤＨＯ時の同期確立の処理を示すタイミングチャート図である。
【図５】従来の同期回路の構成ブロック図である。
【符号の説明】
１，２…アンテナ、  ３，４…無線部、  ５，６…Ａ／Ｄコンバータ、  ７…拡散符号発生部、  ８，９…サーチャ、  １０，１１…プロファイル部、  １２，１３…スライディングコリレータ、  １４…ＲＡＫＥ合成部、  １５…メモリ、  １６…制御部、  ２０…同期部、  ２１…サーチャ、  ２２…プロファイル部、  ２３…スライディングコリレータ
【図１】
0003835724.tif 000002
【図２】
0003835724.tif 000003
【図３】
0003835724.tif 000004
【図４】
0003835724.tif 000005
【図５】
0003835724.tif 000006